(57)【要約】【課題】撮像素子に入る光を効果的に遮断するカメラモジュールを提供すること。【解決手段】センサユニット１４０では、ベース枠部材１５０が、撮像素子１４４を実装するセンサ基板１４２上に、撮像素子１４４の周囲を囲み上方で開口して取り付けられる。ベース枠部材１５０は、接着剤１３０を介して取り付けられたレンズ駆動ユニット１２０により覆われている。レンズ駆動ユニット１２０は、レンズユニット１１０を光軸方向に移動自在に収納して、撮像素子１４４上に配置させる。レンズ駆動ユニット１２０の遮光部材１８０では、ボス部１２３がベース枠部材１５０の上部の段差部１９０に嵌合し、ヨークの下端部１２８１がベース枠部材１５０を外側面側で覆うことで、レンズ駆動ユニット１２０とベース枠部材１５０との接着領域を外側面側で覆い、当該接着剤領域内の撮像素子表面へ侵入する外部からの光を遮光する。【選択図】図９
2014081517.tif 000002
【特許請求の範囲】
【請求項１】
撮像素子が実装されたセンサ基板上に、前記撮像素子の周囲を囲み、且つ、前記撮像素子の上面側で開口するベース枠部材が取り付けられたセンサユニットと、
前記撮像素子に被写体の像を結像させるレンズユニットと、
前記レンズユニットを光軸方向に移動自在に収納し、且つ、前記ベース枠部材を覆うよう前記ベース枠部材に接着剤を介して取り付けられ、前記レンズユニットを前記撮像素子上に配置させる駆動ユニットと、
を備え、
前記ベース枠部材は、前記開口を囲む上面で前記駆動ユニットが接着される枠状本体と、前記枠状本体の外側面から外方に突出して形成されてなり、前記枠状本体の上面よりも低い段差面を含む窪み部を備えるフランジ部とを有し、
前記駆動ユニットは、前記枠状本体の上面と前記フランジ部の段差面とによりなる段差部に嵌合して、前記駆動ユニット及び前記ベース枠部材の接着剤領域と前記窪み部を外側面側から被覆して前記撮像素子表面へ侵入する外光を遮光する筒状の遮光部材を有し、
前記遮光部材は、前記接着剤領域の外側面側に配置されるとともに前記窪み部に挿入されるボス部と、前記ボス部の外側面側で、前記ボス部及び前記窪み部を被覆する外側被覆板部とを備える、
カメラモジュール。
【請求項２】
前記遮光部材と前記段差部とが互いに対向する面は、互いに対応した角度の異なる複数の面を有する、
請求項１記載のカメラモジュール。
【請求項３】
前記駆動ユニットと前記ベース枠部材とで互いに対向する面のうち少なくとも前記遮光部材及び前記段差部の互いに対向する面はシボ加工されている、
請求項１または２記載のカメラモジュール。
【請求項４】
前記窪み部には、仮止め用の接着材が貯留される、
請求項１から３のいずれか一項に記載のカメラモジュール。
【発明の詳細な説明】
【技術分野】
【０００１】
本発明は、主に、携帯電話、携帯情報端末（ＰＤＡ：Personal Digital Assistants）、スマートフォン等の携帯端末に搭載されるカメラモジュールに関する。
【背景技術】
【０００２】
従来、携帯端末に搭載されるカメラモジュールは、ＣＣＤイメージセンサ（Charge Coupled Device Image Sensor）、ＣＯＭＳ（Complementary Metal Oxide Semiconductor Image Sensor）等の半導体撮像素子とレンズとを備える（例えば、特許文献１、２参照）。
【０００３】
一般的にカメラモジュールは、特許文献１及び特許文献２に示すように、半導体撮像素子（以下、「撮像素子」と称することもある）を透光性部材で覆うセンサユニットに、レンズを備えるレンズユニットを保持するモジュール本体を接合することで構成されている。なお、カメラモジュールでは、オートフォーカスやズーム等を目的として、コイルに流れる電流により発生する磁界と、ヨーク及びマグネットにより構成された磁気回路の磁界との相互作用によって、レンズユニットを光軸方向に変位するレンズ駆動アクチュエータを備えたものが知られている。レンズ駆動アクチュエータとしては、磁界中のコイルに電流を流したときに発生する力を利用してレンズユニットを駆動するＶＣＭ（Voice Coil Motor）方式のものや、ピエゾ素子の圧電効果により発生する力を利用してレンズユニットを駆動するピエゾ方式のものなどがある。
【０００４】
図１は従来のカメラモジュールの要部の説明に供する図であり、図１（ａ）は、同カメラモジュールの概略構成を模式的に示す断面図であり、図１（ｂ）は、図１（ａ）において接着剤の塗布領域を示すセンサユニットの概略斜視図である。
【０００５】
図１に示す従来のカメラモジュール１は、被写体の像を結像させるレンズユニットを保持するレンズ駆動アクチュエータ２と、レンズユニットにより受光面上に結像した被写体像の光信号を電気信号に変換して出力する撮像素子３を実装したセンサユニット４と、を備える。
【０００６】
このように構成されるカメラモジュール１は、センサユニット４に、レンズユニットを収容したレンズ駆動アクチュエータ２を載置する。そして、レンズ駆動アクチュエータ２をＸＹＺ方向等に空間調整することによってレンズユニットの光軸と、撮像素子３の有効画素領域とを対応させる調整を行う。そして、レンズ駆動アクチュエータ２は、撮像素子３を囲むように設けられた接着剤５を介して、内部が封止された状態でセンサユニット４に固定される。このようにしてカメラモジュール１は組み立てられている。
【先行技術文献】
【特許文献】
【０００７】
【特許文献１】特許第４３７８３９４号公報
【特許文献２】特開２００４−２９６４５３号公報
【発明の概要】
【発明が解決しようとする課題】
【０００８】
しかしながら、従来のカメラモジュール１においては、撮像素子３が配設された内部空間は、レンズユニットを保持するレンズ駆動アクチュエータ２と、撮像素子３を有するセンサユニット４とを接合する接着剤５によって封止されている。このため、接着剤部分に強い光、特に、携帯機器に内蔵されたフラッシュ用のＬＥＤ等の光が照射されると、接着剤部分を透過して、撮像素子３が配設された空間内に光が侵入する虞がある。この光の侵入によって、撮像素子３は、レンズユニットにより結像された映像を電気信号に変換して映像を取り出せるようにする際に、正確に変換できず、ゴースト、フレア等が発生し、正確なセンサ画像として取り出すことができない。
【０００９】
本発明はかかる点に鑑みてなされたものであり、撮像素子に入る光を効果的に遮断するカメラモジュールを提供することを目的とする。
【課題を解決するための手段】
【００１０】
本発明のカメラモジュールの一つの態様は、撮像素子が実装されたセンサ基板上に、前記撮像素子の周囲を囲み、且つ、前記撮像素子の上面側で開口するベース枠部材が取り付けられたセンサユニットと、前記撮像素子に被写体の像を結像させるレンズユニットと、前記レンズユニットを光軸方向に移動自在に収納し、且つ、前記ベース枠部材を覆うよう前記ベース枠部材に接着剤を介して取り付けられ、前記レンズユニットを前記撮像素子上に配置させる駆動ユニットと、を備え、前記ベース枠部材は、前記開口を囲む上面で前記駆動ユニットが接着される枠状本体と、前記枠状本体の外側面から外方に突出して形成されてなり、前記枠状本体の上面よりも低い段差面を含む窪み部を備えるフランジ部とを有し、前記駆動ユニットは、前記枠状本体の上面と前記フランジ部の段差面とによりなる段差部に嵌合して、前記駆動ユニット及び前記ベース枠部材の接着剤領域と前記窪み部を外側面側から被覆して前記撮像素子表面へ侵入する外光を遮光する筒状の遮光部材とを有し、前記遮光部材は、前記接着剤領域の外側面側に配置されるとともに前記窪み部に挿入されるボス部と、前記ボス部の外側面側で、前記ボス部及び前記窪み部を被覆する外側被覆板部とを備える構成を採る。
【発明の効果】
【００１１】
本発明によれば、撮像素子に入る光を効果的に遮断することができる。
【図面の簡単な説明】
【００１２】
【図１】従来のカメラモジュールの概略構成を模式的に示す図
【図２】本発明の一実施の形態に係るカメラモジュールの構成を示す斜視図
【図３】同カメラモジュールの分解斜視図
【図４】同カメラモジュールの平面図
【図５】図４に示す同カメラモジュールのＡ−Ａ線矢視断面図
【図６】図４に示す同カメラモジュールのＢ−Ｂ線矢視断面図
【図７】図４に示す同カメラモジュールのＣ−Ｃ線矢視断面図
【図８】図４に示す同カメラモジュールのＤ−Ｄ線矢視断面図
【図９】本発明の一実施の形態に係るカメラモジュールにおいて、駆動ユニットとベース枠部材との隙間の拡大図
【発明を実施するための形態】
【００１３】
以下、本発明の実施の形態について、図面を参照して詳細に説明する。
【００１４】
図２は、本発明の一実施の形態に係るカメラモジュールの構成を示す斜視図であり、図３は、同カメラモジュールの分解斜視図である。
【００１５】
図２及び図３に示すカメラモジュール１００は、レンズユニット１１０と、レンズユニット１１０を光軸方向に駆動するレンズ駆動ユニット１２０と、レンズ駆動ユニット１２０が取り付けられるセンサユニット１４０とを有する。図４は、同カメラモジュールの平面図である。
【００１６】
図２〜図４に示すように、カメラモジュール１００は、ここでは、平面視略正方形の直方体状をなしており、その中心に光軸が配置されるようにレンズユニット１１０が配置されている。
【００１７】
センサユニット１４０は、図３に示すように、センサ基板１４２と、撮像素子１４４と、フレキシブル基板（ＦＰＣ：Flexible printed circuits）１４６と、フィルタ１４８と、ベース枠部材１５０とを有する。
【００１８】
図５は図４に示す同カメラモジュールのＡ−Ａ線矢視断面図であり、図６は図４に示す同カメラモジュールのＢ−Ｂ線矢視断面図である。また、図７は図４に示す同カメラモジュールのＣ−Ｃ線矢視断面図であり、図８は図４に示す同カメラモジュールのＤ−Ｄ線矢視断面図である。
【００１９】
図５〜図８に示すように、センサユニット１４０では、ＦＰＣ１４６上にセンサ基板１４２が実装され、このセンサ基板１４２上に撮像素子１４４が実装されている。撮像素子１４４は、センサ基板１４２上に取り付けられたベース枠部材１５０により囲まれた撮像素子収容領域内に配設されている。
【００２０】
撮像素子１４４は、ＣＣＤ（Charge Coupled Device）イメージセンサ又はＣＭＯＳ（Complementary metal Oxide Semiconductor）イメージセンサ等の半導体撮像素子である。撮像素子１４４は、例えば樹脂系接着剤によりセンサ基板１４２に固定（ダイボンディング）された後、撮像素子１４４の電極とセンサ基板１４２の接続パッドが金属ワイヤーで接続（ワイヤボンディング）されることで、センサ基板１４２に実装される。
【００２１】
撮像素子１４４は、レンズユニット１１０により受光面上に結像した被写体像の光信号を電気信号に変換して、携帯端末本体側の信号処理部（ＤＳＰ：Digital Signal Processor、図示省略）に出力する。
【００２２】
この撮像素子１４４の表面には、撮像素子１４４を覆うフィルタ１４８が配設されている。フィルタ１４８は、ＩＲカットフィルタであり、近赤外光を遮断して可視光を透過することで、レンズユニット１１０により結像される光を撮像素子１４４に導入する。
【００２３】
なお、レンズユニット１１０は、外周に雄ねじ部が形成された円筒状をなすレンズバレル１１２内に、レンズ群１１４を収容して形成されている。レンズユニット１１０は、被写体の像を撮像素子１４４の受光面に結像させる。
【００２４】
ＦＰＣ１４６は、柔軟性を有する絶縁基板を用いたプリント配線基板であり、センサ基板１４２を携帯端末本体側に接続する。このＦＰＣ１４６は、帯状に形成され、一端部でセンサ基板１４２の裏面側に接続されている。このＦＰＣ１４６の他端部には、携帯端末本体側とのコネクタが実装される。
【００２５】
センサ基板１４２は、レンズ駆動ユニット１２０の平面視形状と略同一の正方形状（例えば８．５ｍｍ×８．５ｍｍ）に形成されたプリント配線基板である。センサ基板１４２には、図示しない複数の接触パッド、配線パターンが形成されている。なお、図示しないが接触パッドとしては、撮像素子１４４、ＡＦドライバ（図示省略）、ＥＥＰＲＯＭ（Electronically Erasable and Programmable Read Only Memory：図示省略）等のチップ部品を表面実装する接続パッド、ＦＰＣ１４６用の接続パッド、アクチュエータユニット用の接続パッドなどが挙げられる。なお、図示しないＡＦドライバ、ＥＥＰＲＯＭは、センサ基板１４２上に実装されており、センサ基板１４２に樹脂製接着剤を介して取り付けられたベース枠部材１５０で覆われている。
【００２６】
ベース枠部材１５０は、図３、図５〜図８に示すように、センサ基板１４２上で、撮像素子１４４を囲むように配置されるとともに上面で開口する矩形枠状の枠状本体１５２を有する。この枠状本体１５２の上面の開口を介して、撮像素子１４４にレンズユニット１１０のレンズ群１１４からの光が侵入する。
【００２７】
ベース枠部材１５０の上面（詳細には、枠状本体１５２の上面）１５２ａは、レンズ駆動ユニット１２０の下部内の接着面１２０ａ（図５〜図８参照）に本固定用の接着剤（接着部）１３０を介して接合される。すなわち、ベース枠部材１５０の上面（枠状本体１５２の上面）１５２ａは接着剤１３０が配設される接着剤領域となっている。
【００２８】
この枠状本体１５２の下部には、外面から水平方向外方に突出するフランジ部１５４（１５４ａ〜１５４ｄ）が形成されている。これらフランジ部１５４のそれぞれの上面は、枠状本体１５２の上面１５２ａより低い位置に形成された段差面（上面１５２ａよりも高さレベルの低い段差面）を有している。これらフランジ部１５４は、ベース枠部材１５０にレンズ駆動ユニット１２０が取り付けられた際に、レンズ駆動ユニット１２０内に配置される。これにより、ベース枠部材１５０は、レンズ駆動ユニット１２０の下部に内嵌した状態で、外周側及び上面側で被覆されている。
【００２９】
また、フランジ部１５４における上面の段差面は、ここでは、窪み部１５５、１５６により形成され、窪み部１５５、１５６の底面に相当する。窪み部１５５、１５６内には、レンズ駆動ユニット１２０において下方に突出する筒状の遮光部材１８０（図５〜図９参照）のボス部１２３（図５〜図９参照）が挿入される。また、窪み部１５５、１５６には、レンズ駆動ユニット１２０をベース枠部材１５０に取り付ける際に、仮固定用の接着剤１７０（図５、図９参照）が貯留される。これにより、接着剤１７０が貯留された窪み部１５５、１５６内に遮光部材１８０のボス部１２３を挿入して仮固定できるため、窪み部１５５、１５６は、遮光部材１８０を仮固定する仮止め用接着部として機能する。
【００３０】
なお、図３に示すように枠状本体１５２から突出するフランジ部１５４のうち、正面側と背面側の側壁部の外面から突出するフランジ部１５４ａ、１５４ｃは、それぞれの側壁部の中央部分に突設されている。それぞれの上面では、段差面を形成する窪み部１５５は、３つに仕切られている。
【００３１】
このベース枠部材１５０の上部には、ベース枠部材１５０における枠状本体１５２の上面１５２ａを内包するように、レンズ駆動ユニット１２０が取り付けられている。
【００３２】
これら枠状本体１５２の上面１５２ａと、フランジ部１５４の段差面とによって、遮光部材１８０を受ける段差部１９０（図３、図５〜図８）が構成される。言い換えれば、ベース枠部材１５０の上面は、内側部分で高く外側部分で低い段差を有する。ベース枠部材１５０は、上面のうち内側の面（上面１５２ａ）を、レンズ駆動ユニット１２０を接着する接着面として、レンズ駆動ユニット１２０の接着面１２０ａと接着剤１３０とともに接着領域を形成している。
【００３３】
また、ベース枠部材１５０は、上面のうち、内側の接着面１５２ａと、内側の接着面の外側に配置された外側の面（フランジ部１５４の上面における段差面）とで形成される段差部１９０に、レンズ駆動ユニット１２０の下部が外嵌する。このとき、レンズ駆動ユニット１２０は、ベース枠部材１５０を覆うように取り付けられる。
【００３４】
レンズ駆動ユニット１２０は、レンズユニット１１０を収容し、駆動機構部によりレンズユニット１１０を光軸方向に移動させる。これにより、カメラモジュール１００自体は、オートフォーカス機能を実現できる。ここでは、レンズ駆動ユニット１２０の駆動機構部は、ＶＣＭ（Voice Coil Motor）方式のレンズ駆動装置であり、レンズ駆動ユニット１２０のユニットベース部１２１の上部に配置されている。駆動機構部は、主に、図６を参照すると、レンズユニット１１０を保持するホルダ１２２、コイル１２４と、マグネット１２６と、ヨーク１２８と、板状のスプリング１２９ａ、１２９ｂ等とを有する。
【００３５】
コイル１２４は、ホルダ１２２の外周に固着されており、コイル１２４の外方にマグネット１２６が配置されている。ヨーク１２８は、マグネット１２６を収容している。板状のスプリング１２９ａは、コイル１２４及びホルダ１２２の下面に溶着されており、板状のスプリング１２９ｂは、ヨーク１２８の上面に溶着されている。なお、駆動機構部の上方には、レンズ駆動ユニット１２０のカバー１２０ｂが配設されている。
【００３６】
レンズ駆動ユニット１２０は、磁界中のコイル１２４に電流を流したときに発生する力を利用してホルダ１２２を駆動し、ホルダ１２２と共にホルダ１２２に螺合されたレンズユニット１１０を、光軸方向に移動する。
【００３７】
なお、レンズ駆動ユニット１２０の駆動機構部を、ピエゾ素子の圧電効果により発生する力を利用してレンズユニットを駆動するピエゾ方式のレンズ駆動装置で構成することもできる。このレンズ駆動ユニット１２０は、カメラモジュール１００に要求される外形サイズに合わせて略直方体状に形成される。
【００３８】
図５〜図８に示すように、レンズ駆動ユニット１２０の下部には、ベース枠部材１５０における枠状本体１５２の上面１５２ａに接着される接着面１２０ａの外側で、下方に突出して筒状（ここでは角筒状）の遮光部材１８０が設けられている。
【００３９】
遮光部材１８０は、レンズ駆動ユニット１２０の下部を形成するユニットベース部１２１の下面外縁部から下方に突設されるボス部１２３と、接着剤（接着部）１３０による層の外方に配置されるヨーク１２８の下端部（外側被覆板部）１２８１とを備える。この遮光部材１８０が段差部１９０に外嵌する。
【００４０】
ボス部１２３は、ユニットベース部１２１の下面において、ホルダ１２２を囲む内側部分の接着面１２０ａの外側（ここでは下面外縁部）で下方に突設されており、接着面１２０ａとで段差部１９０に嵌合する形状（段差形状）をなしている。なお、フランジ部１５４ｂ、１５４ｄの窪み部１５５に挿入されるボス部１２３の下端部は外側で面取り（Ｒ面取り）されており、先端側が細くなっている。
【００４１】
ヨーク１２８は、レンズ駆動ユニット１２０においてレンズユニット１１０、ユニットベース部１２１、ホルダ１２２の外周及び上縁部を覆う。また、ユーク１２８の下端部１２８１は、センサユニット１４０近傍まで延出し、窪み部１５５、１５６を、外側面側から被覆している。つまり、ヨーク１２８は、下端部１２８１で、ベース枠部材１５０を囲み、ベース枠部材１５０全体を外周面側から被覆している。
【００４２】
すなわち、図５〜図８に示すように、レンズ駆動ユニット１２０とベース枠部材１５０（枠状本体１５２）との接着部分（接着面１２０ａと上面１５２ａ）は、遮光部材１８０（レンズ駆動ユニット１２０におけるユニットベース部１２１のボス部１２３と、ヨーク１２８の下端部１２８１）とで、外周側を覆われている。また、窪み部１５５、１５６へのボス部１２３の内嵌部分は、その外周側で、ヨーク１２８の下端部（外側被覆板部）１２８１により覆われている。
【００４３】
このように、レンズ駆動ユニット１２０は、その内部にベース枠部材１５０を位置させた状態でセンサユニット１４０に取り付けられる。レンズ駆動ユニット１２０及びベース枠部材１５０の接着剤１３０領域と窪み部１５５、１５６を外側面側から被覆して撮像素子１４４表面へ侵入する外光を遮光する。
【００４４】
なお、これらレンズ駆動ユニット１２０と、センサユニット１４０とにおいて、撮像素子１４４を囲む位置で互いに対向する表面は、ここでは、シボ加工により梨地面（例えば、表面粗さＲｚ＝２μｍ）となっている。具体的には、遮光部材１８０であるボス部１２３の表面、これに対向するベース枠部材１５０の表面（フランジ部の上面、枠状本体の外面）等が梨地面となっている。なお、レンズ駆動ユニット１２０と、センサユニット１４０とにおいて、撮像素子１４４を囲む位置で互いに対向する表面はシボ加工されていなくてもよい。
【００４５】
次に、このように構成されたカメラモジュール１００の組立方法を説明する。
【００４６】
まず、センサユニット１４０（詳細には、ベース枠部材１５０）に、レンズユニット１１０を収容したレンズ駆動ユニット１２０を載置する。詳細には、レンズ駆動ユニット１２０は、ベース枠部材１５０（枠状本体１５２）の上面１５２ａ上に接着剤１３０を介して載置される。このとき、レンズ駆動ユニット１２０において遮光部材１８０を構成するボス部１２３は、ベース枠部材１５０におけるフランジ部１５４の窪み部１５５、１５６内に配置する。この窪み部１５５、１５６内には仮固定用の接着剤１７０（図６に窪み部１５５内の仮固定用の接着剤１７０を示す）が貯留されており、この接着剤１７０を介してレンズ駆動ユニット１２０をセンサユニット１４０に仮固定する。なお、仮固定用の接着剤１７０は、例えば、ＵＶ嫌気型、またはＵＶ熱硬化型の接着剤であり、接着剤１７０にＵＶを外部から照射、または加熱して仮固定する。これにより、接着剤１３０を用いてレンズ駆動ユニット１２０とセンサユニット１４０とを本固定する前に、レンズユニット１１０の光軸と、撮像素子１４４との位置関係の調整を行うことができる。
【００４７】
また、フランジ部１５４ｂ、１５４ｄの窪み部１５５に挿入されるボス部１２３では、その先端部の外側が面取り（Ｒ面取り）されている。このため、接着剤１７０が貯留する窪み部１５５内に、ボス部１２３を挿入した際に、接着剤１７０が外部に飛び出すことを防止している。
【００４８】
そして、レンズ駆動ユニット１２０を、Ｘ方向、Ｙ方向、Ｚ方向、α方向、β方向、θ方向（図２参照）に微調整移動する。これにより、レンズ駆動ユニット１２０が収納するレンズユニット１１０の光軸を、センサユニット１４０内の撮像素子１４４に対して好適な位置に位置させる。
【００４９】
そして、接着剤１３０を使用してセンサユニット１４０にレンズ駆動ユニット１２０を固定する。接着剤１３０は、ここでは、高チクソ性熱硬化型の接着剤であり、外部から加熱することで、センサユニット１４０にレンズ駆動ユニット１２０を接合して固着する。
【００５０】
これにより、レンズ駆動ユニット１２０は、内部が封止された状態でセンサユニット１４０に固定されることになり、カメラモジュール１００として組み立てられる。なお、駆動ユニットの端子、端子パッドは、例えば半田付け又はエポキシ樹脂系の熱硬化性樹脂を基材とする導電性ペーストにより、電気的に接続される。
【００５１】
このように構成されたカメラモジュール１００によれば、センサユニット１４０（ベース枠部材１５０）とレンズ駆動ユニット１２０とを接合する本固定用の接着剤１３０が、外方で、遮光部材１８０（ボス部１２３或いはヨーク１２８の下端部）により覆われている。これにより、撮像時に、カメラモジュール１００の外部で強い発光（特に携帯機器に内蔵された夜間撮影用のフラッシュとしてのＬＥＤ等の光）があっても、この光が外部から接着剤１３０を介してカメラモジュール１００の内部（接着剤領域で囲まれる内側領域、つまり、接着剤領域内）に直線的に侵入して撮像素子１４４に至ることを防ぐことができる。
【００５２】
これにより、外光が内部の撮像素子１４４の表面（受光面）に侵入することなく、撮像素子１４４により電気信号に変換されるセンサ画像にフレア、ゴーストなどの影響を及ぼすことがない。よって、好適な画像を取り出すことができる。
【００５３】
また、図９に示すように、カメラモジュール１００によれば、光軸を調整するために、センサユニット１４０（ベース枠部材１５０）とレンズ駆動ユニット１２０とを完全に固定する前に、両者の間に隙間（調整しろ）が形成される。この隙間は、遮光部材１８０（ボス部１２３）の表面、この表面に連続する接着面１２０ａ、ベース枠部材１５０における枠状本体１５２の表面（上面１５２ａも含む）、フランジ部１５４の上面等、角度の異なる面によって画成されている。
【００５４】
この隙間は、カメラモジュール１００の内部（撮像素子１４４の実装領域）への外光の侵入経路Ｌと考えられ、複数の反射を繰り返した経路となっている。
【００５５】
このように、カメラモジュール１００では、撮像素子１４４を囲むレンズ駆動ユニット１１０の部位とセンサユニット１４０の部位とをオーバーラップさせた状態で、両者が接着剤１３０を介して固定される。
【００５６】
外光がカメラモジュール１００において隙間を形成する各部品（遮光部材１８０の表面、この表面に連続する接着面１２０ａ、ベース枠部材１５０における枠状本体１５２の表面（上面１５２ａも含む）、フランジ部１５４の上面等）に反射する場合、部品の反射率を１５％とすると、反射を繰り返す度に０．１５倍される。つまり、外光光量をＧ、反射回数をｎとすると、撮像素子１４４に届く光量Ｋは、Ｋ＝Ｇ×０．１５ｎの式で表せる。つまり、反射を繰り返す度に光量は急激に減少することとなる。
【００５７】
この点を鑑みて、本実施の形態では、接着剤１３０、１７０がレンズ駆動ユニット１１０とセンサユニット１４０とをまだ接着していない状態でも、侵入経路Ｌでは、カメラモジュール１００の外部から内部の撮像素子１４４に至るまで７回反射させている。これにより、センサユニット１４０に、レンズ駆動ユニット１１０を被せるだけでも、撮像素子１４４の表面に外光が殆ど届かないようになっている。
【００５８】
また、本実施の形態のカメラモジュール１００では、隙間を形成する各部品の表面はシボ加工によって梨地面となっている。これにより、梨地面で反射された光は、より散乱されることになり、更に撮像素子１４４に届きにくくなっている。これにより、撮像した画像に一層フレアやゴーストなどが発生しにくくなっている。この状態で、経路Ｌ途中に、仮固定用の接着剤１７０と接着剤１３０とが配設され、経路を閉塞することから、カメラモジュール１００では、撮像素子に入る光を効果的に遮断している。
【００５９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６０】
本発明に係るカメラモジュールは、撮像素子に入る光を効果的に遮断する効果を有し、携帯電話、スマートフォンなどカメラ付きの携帯端末に用いられるものとして有用である。
【符号の説明】
【００６１】
１００  カメラモジュール
１１０  レンズユニット
１２０  レンズ駆動ユニット（駆動ユニット）
１２０ａ  接着面
１２１  ユニットベース部
１２３  ボス部（遮光部材）
１３０  接着剤
１４０  センサユニット
１４２  センサ基板
１４４  撮像素子
１５０  ベース枠部材
１５２  枠状本体
１５２ａ  上面
１５４、１５４ａ、１５４ｃ  フランジ部
１５５、１５６  窪み部
１７０  仮固定用の接着剤
１８０  遮光部材
１９０  段差部
１２８１  ヨークの下端部（遮光部材）
【図１】
2014081517.tif 000003
【図２】
2014081517.tif 000004
【図３】
2014081517.tif 000005
【図４】
2014081517.tif 000006
【図５】
2014081517.tif 000007
【図６】
2014081517.tif 000008
【図７】
2014081517.tif 000009
【図８】
2014081517.tif 000010
【図９】
2014081517.tif 000011